(57)【要約】【課題】入り隅の間隔幅調整のためのマスキングテープ貼り付けの器具。【解決手段】円盤状間仕切り板、これから左右両方向に水平方向に突出し、かつ外周面にネジが形成されたテープホルダー用軸、円盤状回転板及びマスキングテープを保持するための突出部が一体に形成され、テープホルダー軸の外周面に形成されたネジと係合するネジが形成されているマスキングテープ用ホルダー、マスキングテープ用ホルダーに係止されマスキングテープの脱落を防止するキャップ、マスキングテープの外周面を保護すると共に、マスキングテープ用ホルダーを回転するための切り欠きが上部に設けられ、テープホルダー軸と一体に形成されている容器本体から構成されるマスキングテープ貼り付けの器具。【選択図】    図２
2006232416.tif 000002
【特許請求の範囲】
【請求項１】
円盤状間仕切り板、円盤状間仕切り板の中央部から左右両方向に水平方向に突出して形成され、かつ外周面にネジが形成されたマスキングテープホルダーを保持するための軸（以下「テープホルダー用軸」という。）、円盤状回転板及びマスキングテープを保持するための突出部が一体に形成され、かつ円盤状回転板及び突出部には水平方向に貫通孔が設けられ、この貫通孔にはテープホルダー軸の外周面に形成されたネジと係合するネジが形成されているマスキングテープ用ホルダー、マスキングテープ用ホルダーに係止されマスキングテープの脱落を防止するキャップ、マスキングテープの外周面を保護すると共に、マスキングテープ用ホルダーを回転するための切り欠きが上部に設けられ、テープホルダー軸と一体に形成されている容器本体、及び容器本体に延設されているマスキングテープの取り出し口を形成する上部繰り出し片及び下部繰り出し片からなるマスキングテープ貼り付け器具。
【請求項２】
下部繰り出し片の外面に取り出し口と平行にマスキングテープの端部を仮止めするための突起が形成されていることを特徴とする請求項１記載の巾調整が可能なマスキングテープ貼り器具。
【発明の詳細な説明】
【技術分野】
【０００１】
本発明は、建築工事の入り隅の隙間を埋めるコーキングに先立って、マスキングテープ
あるいは養生テープを貼り付ける器具に関し、特に、入り隅とマスキングテープとの間隔を調整することができるマスキングテープ貼り付け器具に関する。
【０００２】
特開平８−１２７４６０号公報には、マスキングテープのケースとは別体にガイド板を設けて、入り隅とマスキングテープとの間隔を調整することができるマスキングテープ貼り付け器具が提案されている。
また、特開２００４−２７８０２号公報には、マスキングテープの工具本体に、厚みが異なる複数個のコの字状目地幅調整板を被せて、入り隅とマスキングテープとの間隔を調整するマスキングテープ貼り付け器具が開示されている。
【０００３】
【特許文献１】特開平８−１２７４６０号公報
【特許文献２】特開２００４−２７８０２号公報
【発明の開示】
【発明が解決しようとする課題】
【０００４】
特開平８−１２７４６０号公報に記載のマスキングテープ貼り付け器具では、マスキングテープケースとは別体にガイド板が設けられており、入り隅とマスキングテープとの間隔を小さくすることが困難である
特開２００４−２７８０２号公報に記載のマスキングテープ貼り付け器具においては、厚みが異なる複数個のコの字状目地幅調整板を別々に保管しなければならず、施工途中で紛失する恐れがある。
さらに、上記した二つの公報に記載されているマスキングテープ貼り付け器具は、図からも分かるように、貼り付け器具の長さがマスキングテープの数倍にもなり、施工時の操作性に劣るという実際上の問題がある。
【０００５】
本発明は、上述した従来技術の持つ課題を解決するマスキングテープ貼り付け器具を提供する。
【課題を解決するための手段】
【０００６】
本願の第一の発明によれば、円盤状間仕切り板、円盤状間仕切り板の中央部から左右両方向に水平方向に突出して形成され、かつ外周面にネジが形成されたマスキングテープホルダーを保持するための軸（以下「テープホルダー用軸」という。）、円盤状回転板及びマスキングテープを保持するための突出部が一体に形成され、かつ円盤状回転板及び突出部には水平方向に貫通孔が設けられ、この貫通孔にはテープホルダー軸の外周面に形成されたネジと係合するネジが形成されているマスキングテープ用ホルダー、マスキングテープ用ホルダーに係止され、マスキングテープの脱落を防止するキャップ、マスキングテープの外周面を保護すると共に、マスキングテープ用ホルダーを回転するための切り欠きが上部に設けられ、テープホルダー軸と一体に形成されている容器本体、及び容器本体に延設されている、マスキングテープの取り出し口を形成する上部繰り出し片及び下部繰り出し片からなるマスキングテープ貼り器具が提供される。
【０００７】
又、本願の第二の発明によれば、上記構成において、下部繰り出し片の外面に取り出し
口と、平行にマスキングテープの端部を仮止めするための突起が形成されていることを特
徴とするマスキングテープ貼り付け器具が提供される、
【発明の効果】
【０００８】
本発明のマスキングテープ貼り付け器具においては、マスキングテープ用ホルダーを回転させるとマスキングテープ用ホルダーがテープホルダー軸に沿って左右に移動する。これにより、入り隅とマスキングテープとの間隔を増減することができ、結果として、コーキング幅を増減させることができる。
【０００９】
本発明のマスキングテープ貼り付け器具は、前述した公報の貼り付け器具に比較して、構造が簡単であり、手のひらに収まるような小型にすることができ、マスキングテープの貼り付け作業が非常に容易かつ簡単となる。
【００１０】
さらに、本願の第二の発明の構成とすれば、繰り出されたマスキングテープの端部を突起から浮かした状態で保持することができるため、作業開始時のマスキングテープの取り扱いが容易になる。
【００１１】
以下に図面に示す実施例に基づいて本発明を説明する。
【００１２】
図１は本発明のマスキングテープ貼り付け器具１の側面図であり、図２は貼り付け器具１の平面図である。
【００１３】
マスキングテープ貼り付け器具１の容器本体２には円盤状間仕切り板３が固定されている。即ち、間仕切り板３の外周面と容器本体２の内周面とが一体に固定されている。容器本体２の上部は、後述するマスキングテープ用ホルダー６A,６Bを回転させるための切り欠きが設けられている。容器本体２の横幅は、同じく後述するテープホルダー用軸4A,４Bの先端部が容器本体２の側面から飛び出ないような幅とすることが好ましい。
【００１４】
外周面にネジが形成されたテープホルダー用軸4A,４Bが円盤状間仕切り板３の中央部から左右両方向に水平方向に突出して形成されている。マスキングテープ用ホルダー６A,６Bは、それらを回転させるための円盤状回転板及びマスキングテープを保持する突出部から構成されている。また、マスキングテープ用ホルダー６A，６Bの中央部には水平方向に貫通孔が設けられ、この貫通孔にはテープホルダー用軸4A,４Bの外周面に形成されたネジと係合するネジが形成されている。後述するように、マスキングテープ用ホルダー６A6Bには２個のマスキングテープ5A,５Bが回転可能に保持される。
【００１５】
マスキングテープ用ホルダー6A,６Bの端部には、マスキングテープ5A,５Bの脱落を防止するためのキャップ7A,７Bが係止されている。これらのキャップ7A,７Bの内側壁とマスキングテープ用ホルダー6A,６Bを構成する円盤状回転板の外側との間隔は、マスキングテープ５A,5Bの幅より僅かに広くして、マスキングテープ5A,５Bの繰り出しを容易にすると共に、施工時の入り隅とマスキングテープ5A,５Bとの間隔を一定に保つために好ましい。
【００１６】
容器本体２には、マスキングテープ５Aあるいは５Bの取り出し口８を形成する上部繰り出し片９及び下部繰り出し片１０が、一体に設けられている。下部繰り出し片１０の外面には取り出し口８と平行に、マスキングテープ５Aあるいは５Bの端部を仮止めするための突起１１が形成されている。
【００１７】
マスキングテープ用ホルダー6A,６Bはマスキングテープ５A,５Bを回転可能に保持すると共に、入り隅とマスキングテープ5A,５Bとの間隔を調整するために使用される。こ
の間隔を最小にしたい場合は、マスキングテープ用ホルダー6A,６Bを回転させてマスキン
グテープ5A,５Bを容器本体の側面に移動させる。上記の間隔を広げたいときには、図３、並びに図５に示すように、マスキングテープ用ホルダー6A,６Bを回転させて円盤状間仕切り板３側に移動させる。
【００１８】
本発明のテープ貼り付け器具１を構成する各部材、例えば容器本体２、円盤状間仕切板３等の材質については特別の制限はなく、合成樹脂、金属等を使用することができる。
【００１９】
本発明のマスキングテープ貼り付け器具１を使って入り隅にマスキングテープ5A，5Bを貼り付け施工する際には、テープホルダー用軸４A,4Bにマスキングテープ用ホルダー6A,６Bをネジ込み、マスキングテープ5A,５Bを装着した後、キャップ７A,7Bをマスキングテープ用ホルダー6A,６Bに係止する。この後、マスキングテープ用ホルダー6A,６Bを回転させて、入り隅とマスキングテープ5A,５Bとの間隔が所定値となるように調節する。
【００２０】
ついで、図4に示すように、入り隅１２を構成する一方の壁面１３に容器本体２の側面を押し付けながら、マスキングテープ５Aをマスキングテープの取り出し口８から繰り出しつつ貼り付ける。貼り付けの終了後、マスキングテープ５Aの先端部を、下部繰り出し片１０の外面に形成された突起１１に仮止めする。この後に、入り隅１２を構成する他方の壁面１４に容器本体2の側面を押し付けながらマスキングテープを貼り付ける。貼り付けの終了後に上記と同様にして、マスキングテープ５Bの先端部を突起11に仮止めする。
【図面の簡単な説明】
【００２１】
【図１】本発明のマスキングテープ貼り付け器具の側面図
【図２】図1の平面図
【図３】ホルダーを移動させた状態の平面図
【図４】入り隅に間隔を持たせて貼り付けた状態の図
【図５】ホルダーを移動させた状態の断面図
【符号の説明】
【００２２】
１  テープ貼り付け器具
２  容器本体
３  円盤状仕切り板
４  テープ保持用軸
５  マスキングテープ
６  テープホルダー
７  ホルダーキャップ
８  テープ取り出し口
９  上部繰り出し片
１０  下部繰り出し片
１１  突起
【図１】
2006232416.tif 000003
【図２】
2006232416.tif 000004
【図３】
2006232416.tif 000005
【図４】
2006232416.tif 000006
【図５】
2006232416.tif 000007
【手続補正書】
【提出日】平成17年4月18日(2005.4.18)
【手続補正１】
【補正対象書類名】図面
【補正対象項目名】図１
【補正方法】変更
【補正の内容】
【図１】
2006232416.tif 000008
【手続補正２】
【補正対象書類名】図面
【補正対象項目名】図２
【補正方法】変更
【補正の内容】
【図２】
2006232416.tif 000009
【手続補正３】
【補正対象書類名】図面
【補正対象項目名】図３
【補正方法】変更
【補正の内容】
【図３】
2006232416.tif 000010
【手続補正４】
【補正対象書類名】図面
【補正対象項目名】図５
【補正方法】削除
【補正の内容】
【手続補正５】
【補正対象書類名】明細書
【補正対象項目名】００２１
【補正方法】変更
【補正の内容】
【００２１】
【図１】本発明のマスキングテープ貼り付け器具の切り欠きの側面図。
【図２】図1の切り欠きの平面図。
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
円盤状間仕切り板、円盤状間仕切り板の中央部に固定化された突出部が左右両方向に形成され、かつ外周面にネジが形成されたマスキングテーププホルダーを保持するための軸（以下「テープホルダー用軸」という）、マスキングテープを保持するための円盤状回転板と突出部が一体に形成されたマスキングテープ用ホルダー、このテープホルダーには水平方向に貫通孔が設けられ、この貫通孔にはテープホルダー用軸の外周面に形成されたネジと係合するネジが形成されている、テープ用ホルダーに係止されマスキングテープの脱落を防止するためのキャップからなる構成、円盤状回転板（テープホルダー）を回転移動させて入り隅とマスキングテープとの間隔の調整を図る、マスキングテープの外周面を保護すると共に、テープホルダーの円盤状回転板を操作するための切り欠きが上部に設けられテープホルダー用軸及び円盤状間仕切り板と一体に形成されている容器本体、及び容器本体に延設されているマスキングテープ取り出し口を形成する上部繰り出し片及び下部繰り出し片からなるマスキングテープ貼り付け器具
【手続補正３】
【補正対象書類名】明細書
【補正対象項目名】０００６
【補正方法】変更
【補正の内容】
【０００６】
本願の第一の発明によれば、円盤状間仕切り板、円盤状間仕切り板の中央部に固定化された突出部が左右両方向に水平方向に形成され、かつ外周面にネジが形成されたマスキングテープホルダーを保持するための軸（以下「テープホルダー用軸」という。）、マスキングテープを保持するための円盤状回転板と突出部が一体に形成されたマスキングテープ用ホルダー、このテープ用ホルダーには水平方向に貫通孔が設けられ、この貫通孔にはテープホルダー用軸の外周面に形成されたネジと係合するネジが形成されている、テープ用ホルダーに係止されマスキングテープの脱落を防止するためのキャップからなる構成、この構成により円盤状回転板（テープホルダー）を回転移動させて入り隅とマスキングテープとの間隔の調整を図ることができる、マスキングテープの外周面を保護すると共に、テープホルダーの円盤状回転板を操作するための切り欠きが上部に設けられテープホルダー用軸及び円盤状間仕切り板と一体に形成されている容器本体、及び容器本体に延設されているマスキングテープ取り出し口を形成する上部繰り出し片及び下部繰り出し片からなるマスキングテープ貼り付け器具が提供される。
【手続補正４】
【補正対象書類名】明細書
【補正対象項目名】０００７
【補正方法】削除
【補正の内容】
【手続補正５】
【補正対象書類名】明細書
【補正対象項目名】００１６
【補正方法】変更
【補正の内容】
【００１６】
容器本体には、マスキングテープ５Aあるいは５Ｂの取り出し口８を形成する上部繰り出し片９及び下部繰り出し片１０が、一体に設けられている。取り出し口８から取り出したマスキングテープ５Aあるいは５B の端部を折り返しして下部繰り出し片１０の外面に仮止めをする。
【手続補正６】
【補正対象書類名】明細書
【補正対象項目名】００２０
【補正方法】変更
【補正の内容】
【００２０】
ついで、図４に示すように、入り隅１２を構成する一方の壁面１３に容器本体２の側面を押し付けながら、マスキングテープ５Aをマスキングテープの取り出し口８から繰り出しつつ貼り付ける、貼り付けの終了後、マスキングテープの先端部を下部繰り出し片１０の外面に仮止めする、この後に、入り隅１２を構成する他方の壁面１４に容器本体２の側面を押し付けながらマスキングテープを貼り付ける、貼り付けの終了後に上記と同様にして、マスキングテープ５Bの先端部を繰り出し片１０の外面に仮止めする。
【手続補正７】
【補正対象書類名】明細書
【補正対象項目名】００２２
【補正方法】変更
【補正の内容】
【００２２】
（１）１１突起、図面変更に伴い削除
【手続補正８】
【補正対象書類名】図面
【補正対象項目名】図１
【補正方法】変更
【補正の内容】
【図１】
2006232416.tif 000011
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
円盤状間仕切り板、該円盤状間仕切り板の中央部に固定化して左右両方向に形成し、かつ外周面にネジを形成したマスキングテープホルダーを保持するための軸、マスキングテープを保持するための円盤状板とテープ用軸を一体に形成したテープ用ホルダー、該テープ用ホルダーには水平方向に貫通孔を設け、該貫通孔にはテープホルダー用軸の外周面に形成したネジと係合するネジを形成し、該テープ用ホルダーの軸の先端部に係止してマスキングテープの脱落を防止するためのキャップ、該キャップは手動回転に支障をきたすことのない係止方法とし、該テープ用ホルダーを本体の左右両側面から回転移動させて入り隅とマスキングテープとの間隔の調整を図る、マスキングテープの外周面を保護すると共に、テープホルダーの移動調整と計測のため上部に切り欠きと目盛りを設け、テープホルダー用軸及び円盤状間仕切り板と一体に形成した容器本体、該容器本体に延設したマスキングテープ取り出し口を形成する上部繰り出し片及び下部繰り出し片からなることを特徴としたマスキングテープ貼り付け器具。
【手続補正２】
【補正対象書類名】明細書
【補正対象項目名】０００６
【補正方法】変更
【補正の内容】
【０００６】
本願の第一の発明によれば、円盤状間仕切り板、該円盤状間仕切り板の中央部に固定化して左右両方向に形成し、かつ外周面にネジを形成したマスキングテープホルダーを保持するための軸、マスキングテープを保持するための円盤状板とテープ用軸を一体に形成したテープ用ホルダー、該テープ用ホルダーには水平方向に貫通孔を設け、該貫通孔にはテープホルダー用軸の外周面に形成したネジと係合するネジを形成し、該テープ用ホルダーの軸の先端部に係止してマスキングテープの脱落を防止するためのキャップ、該キャップは手動回転に支障をきたすことのない係止方法とし、該テープ用ホルダーを本体の左右両側面から回転移動させて入り隅とマスキングテープとの間隔の調整を図る、マスキングテープの外周面を保護すると共に、テープホルダーの移動調整と計測のため上部に切り欠きと目盛りを設け、テープホルダー用軸及び円盤状間仕切り板と一体に形成した容器本体、該容器本体に延設したマスキングテープ取り出し口を形成する上部繰り出し片及び下部繰り出し片からなることを特徴としたマスキングテープ貼り付け器具を提供する。
【手続補正３】
【補正対象書類名】明細書
【補正対象項目名】００１０
【補正方法】削除
【補正の内容】
【手続補正４】
【補正対象書類名】明細書
【補正対象項目名】００１３
【補正方法】変更
【補正の内容】
【００１３】
マスキングテープ貼り付け器具１の容器本体２には円盤状間仕切り板３を固定、即ち、間仕切り板３の外周面と容器本体２の内周面とを一体に固定にした、容器本体２の上部は、テープホルダーの移動調整の測定のための切り欠きと目盛りを設けた、容器本体２の横幅は、テープホルダー用軸４A,4Bの先端部が容器本体２の側面から飛び出ない幅とする。
【手続補正５】
【補正対象書類名】明細書
【補正対象項目名】００１４
【補正方法】変更
【補正の内容】
【００１４】
外周面にネジを形成したテープホルダー用軸４A、４Bを円盤状間仕切り板３の中央部から左右両方向に形成、マスキングテープ用ホルダー６A,６Bは円盤状板とテープ用軸を一体に形成し、該軸の先端部にテープの脱落を防止するためのキャップを係止、尚このキャップは手動回転に支障のない係止方法とし、該マスキングテープ用ホルダー６A,６Bの中央部に水平方向に貫通孔を設け、該貫通孔にはテープホルダー用軸４A,４Bの外周面に形成したネジと係合するネジを形成し、後述するように、マスキングテープ用ホルダー６A,６Bには２個のマスキングテープ５A,５Bが回転可能に保持できるものとする。
【手続補正６】
【補正対象書類名】図面
【補正対象項目名】図１
【補正方法】変更
【補正の内容】
【図１】
2006232416.tif 000012
【手続補正７】
【補正対象書類名】図面
【補正対象項目名】図２
【補正方法】変更
【補正の内容】
【図２】
2006232416.tif 000013
【手続補正８】
【補正対象書類名】図面
【補正対象項目名】図３
【補正方法】変更
【補正の内容】
【図３】
2006232416.tif 000014
【手続補正９】
【補正対象書類名】明細書
【補正対象項目名】００２２
【補正方法】変更
【補正の内容】
【００２２】
４テープホルダー用軸
【手続補正書】
【提出日】平成18年1月5日(2006.1.5)
【手続補正１】
【補正対象書類名】明細書
【補正対象項目名】００２２
【補正方法】変更
【補正の内容】
【００２２】
1テープ貼り付け器具
２容器本体
３円盤状間仕切り板
４テープホルダー用軸
５マスキングテープ
６テープホルダー
7キャップ
8テープ取り出し口
９上部繰り出し片
１０下部繰り出し片